(57)【要約】【課題】静脈上の肌とその周囲の肌との弁別性の低下が抑制された照明装置等を提供する。【解決手段】第２白色光Ｌ２の色度は、第１白色光Ｌ１の色度を中心とするＭａｃＡｄａｍ楕円３ステップ範囲内であり、第１白色光Ｌ１における、３８０ｎｍ以上７８０ｎｍ以下の波長範囲における放射エネルギーに対する５００ｎｍ以上５２０ｎｍ以下の波長範囲及び６２０ｎｍ以上７００ｎｍ以下の波長範囲における放射エネルギーの和を示す第１比率は、第２白色光Ｌ２より高い。また、制御部１６２は、第１白色光Ｌ１と第２白色光Ｌ２との光量の和を略一定に維持し、且つ、第１白色光Ｌ１の光量に対する第２白色光Ｌ２の光量を示す第２比率を所定の周期で変化させる。【選択図】図４
2019102143.tif 000002
【特許請求の範囲】
【請求項１】
第１白色光を照射する第１発光部と、
第２白色光を照射する第２発光部と、
前記第１発光部が照射する前記第１白色光の光量と、前記第２発光部が照射する前記第２白色光の光量とを制御する制御部と、を備え、
前記第２白色光の色度は、前記第１白色光の色度を中心とするＭａｃＡｄａｍ楕円３ステップ範囲内であり、
前記第１白色光における、３８０ｎｍ以上７８０ｎｍ以下の波長範囲における放射エネルギーに対する５００ｎｍ以上５２０ｎｍ以下の波長範囲及び６２０ｎｍ以上７００ｎｍ以下の波長範囲における放射エネルギーの和を示す第１比率は、前記第２白色光より高く、
前記制御部は、前記第１白色光と前記第２白色光との光量の和を略一定に維持し、且つ、前記第１白色光の光量に対する前記第２白色光の光量を示す第２比率を所定の周期で変化させる
照明装置。
【請求項２】
前記第１比率は、６０％以上である
請求項１に記載の照明装置。
【請求項３】
前記第１比率は、８０％以上である
請求項１に記載の照明装置。
【請求項４】
前記第２白色光の平均演色評価数Ｒａは、９０以上である
請求項１〜３のいずれか１項に記載の照明装置。
【請求項５】
さらに、前記第１白色光の光量及び前記第２白色光の光量を前記制御部が制御する制御モードを決定する指示を受け付ける受付部を備え、
前記制御モードは、
前記制御部が、前記第１発光部及び前記第２発光部のうち、前記第２発光部のみを点灯させる定常モードと、
前記第２比率を所定の周期で変化させる切替モードと、を含む
請求項１〜４のいずれか１項に記載の照明装置。
【請求項６】
請求項１〜５のいずれか１項に記載の照明装置を備える
医療装置。
【発明の詳細な説明】
【技術分野】
【０００１】
本発明は、照明装置及び当該照明装置を備える医療装置に関する。
【背景技術】
【０００２】
従来から、病院等の医療施設では、例えば、手術中に動脈と静脈とを判別し易い色差が得られるようにするため、生体組織のコントラストが高くなるようなスペクトル成分の光を出射する照明装置が用いられている。また、診療所等を含む一般的な医療施設の診察室や病室では、静脈注射といった比較的簡易な医療行為の頻度が多く、そのような医療行為に利用される医療設備では、患者の静脈上の肌とその周囲の肌との弁別性を高める照明装置が求められる。例えば、特許文献１には、患者の静脈上の肌とその周囲の肌との色差を高めることにより、弁別性を向上させる照明装置が開示されている。
【先行技術文献】
【特許文献】
【０００３】
【特許文献１】特開２０１５−２２８３０１号公報
【発明の概要】
【発明が解決しようとする課題】
【０００４】
しかしながら、従来の照明装置を使い続けた場合、従来の照明装置が照射する、患者の静脈上の肌とその周囲の肌との弁別性を高める光に目が慣れてしまい、弁別性が時間経過とともに低下するという問題がある。
【０００５】
本発明は、上記問題を鑑みてなされたものであり、静脈上の肌とその周囲の肌との弁別性の低下が抑制された照明装置等を提供する。
【課題を解決するための手段】
【０００６】
本発明の一態様に係る照明装置は、第１白色光を照射する第１発光部と、第２白色光を照射する第２発光部と、前記第１発光部が照射する前記第１白色光の光量と、前記第２発光部が照射する前記第２白色光の光量とを制御する制御部と、を備え、前記第２白色光の色度は、前記第１白色光の色度を中心とするＭａｃＡｄａｍ楕円３ステップ範囲内であり、前記第１白色光における、３８０ｎｍ以上７８０ｎｍ以下の波長範囲における放射エネルギーに対する５００ｎｍ以上５２０ｎｍ以下の波長範囲及び６２０ｎｍ以上７００ｎｍ以下の波長範囲における放射エネルギーの和を示す第１比率は、前記第２白色光より高く、前記制御部は、前記第１白色光と前記第２白色光との光量の和を略一定に維持し、且つ、前記第１白色光の光量に対する前記第２白色光の光量を示す第２比率を所定の周期で変化させる。
【０００７】
また、本発明の一態様に係る医療装置は、上記照明器具を備える。
【発明の効果】
【０００８】
本発明によれば、静脈上の肌とその周囲の肌との弁別性の低下が抑制された照明装置等を提供できる。
【図面の簡単な説明】
【０００９】
【図１】図１は、実施の形態に係る医療装置及び照明装置を示す側面図である。
【図２Ａ】図２Ａは、実施の形態に係る照明装置が備える照明器具の内部構造を説明するための図である。
【図２Ｂ】図２Ｂは、図２ＡのＩＩＢ−ＩＩＢ線における照明器具の断面図である。
【図３】図３は、実施の形態に係る照明装置が備える光源の断面図である。
【図４】図４は、実施の形態に係る照明装置の特徴的な機能構成を示すブロック図である。
【図５】図５は、実施の形態に係る照明装置が照射する光のスペクトルを示す図である。
【図６】図６は、実施の形態に係る照明装置が照射する光の特徴を説明するための図である。
【図７Ａ】図７Ａは、第２白色光を患者の腕に照射した場合における、静脈上の肌とその周辺の肌との見え具合を示すイメージ図である。
【図７Ｂ】図７Ｂは、第１白色光を患者の腕に照射した場合における、静脈上の肌とその周辺の肌との見え具合を示すイメージ図である。
【図８Ａ】図８Ａは、実施の形態に係る照明装置が備える第１発光部が照射する光の光量の時間変化を説明するための図である。
【図８Ｂ】図８Ｂは、実施の形態に係る照明装置が備える第２発光部が照射する光の光量の時間変化を説明するための図である。
【図８Ｃ】図８Ｃは、実施の形態に係る照明装置が照射する光の光量の時間変化を説明するための図である。
【図９】図９は、実施の形態に係る照明装置が照射する光の放射エネルギーの比率と色差との関係を説明するための図である。
【図１０】図１０は、実施の形態に係る照明装置が照射する光の色度を説明するための図である。
【図１１】図１１は、実施の形態に係る照明装置を用いた場合の弁別性の低下度合いを説明するためのイメージ図である。
【発明を実施するための形態】
【００１０】
以下、実施の形態に係る照明装置及び医療装置について、図面を参照しながら説明する。なお、以下で説明する実施の形態は、いずれも包括的又は具体的な例を示すものである。以下の実施の形態で示される数値、形状、材料、構成要素、構成要素の配置位置、接続形態、ステップ及びステップの順序等は、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付しており、重複する説明は省略又は簡略化される場合がある。
【００１２】
（実施の形態）
［医療装置の構成］
図１を参照して、実施の形態に係る医療装置２００について説明する。
【００１３】
図１は、実施の形態に係る医療装置２００及び照明装置１００の側面図である。
【００１４】
実施の形態に係る医療装置２００は、例えば、静脈注射が施術される患者がいるベッドに横付けされ、患者の腕に照明装置１００からの光を照射する装置である。医療装置２００は、例えば、ナースカート２１０と、可動アーム２２０と、照明装置１００とを備える。照明装置１００は、患者の腕に光を照射する装置であり、光を照射する光源を有する照明器具１１０と、看護師等の医療従事者等である照明装置１００のユーザが操作して照明器具１１０が有する光源の点灯状態を制御するための指示を出力する受付部１８０とを備える。照明器具１１０と受付部１８０とは、例えば、通信線等により通信可能に接続されている。照明器具１１０は、キャスター２３０を有するナースカート２１０に、固定具２４０によって固定された可動アーム２２０を介して配置されることで、医療装置２００に組み込まれている。医療装置２００は、例えば、ユーザが可動アーム２２０を位置及び角度を適宜移動させることで、患者の腕の所望の位置に照明装置１００からの光を照射する。なお、受付部１８０は、例えば、ユーザが照明装置１００の点灯状態を制御するために操作するコントローラであるが、ナースカート２１０に配置されていてもよいし、照明器具１１０に配置されていてもよいし、ナースカート２１０及び照明器具１１０とは別置されていてもよい。また、照明器具１１０と受付部１８０とは、通信可能に接続されていればよく、無線でもよいし、有線でもよい。
【００１５】
［照明装置の構成］
続いて、図２Ａ〜図４を参照して、実施の形態に係る照明装置１００について説明する。
【００１６】
図２Ａは、実施の形態に係る照明装置１００が備える照明器具１１０の内部構造を説明するための図である。図２Ｂは、図２ＡのＩＩＢ−ＩＩＢ線における照明器具１１０の断面図である。なお、図２Ａに示す照明器具１１０は、図２Ｂに示す拡散板１４０を照明器具１１０に取り付けていない状態を図示している。
【００１７】
図２Ａ及び図２Ｂに示すように、照明器具１１０は、第１発光部１２０と、第２発光部１３０と、拡散板１４０と、基板１５０と、制御回路１６０と、筐体１７０とを備える。
【００１８】
第１発光部１２０は、患者の腕に照射された場合に、静脈上の肌とその周囲の肌との弁別性を高める光を照射する。言い換えると、第１発光部１２０は、患者の腕に照射された場合に、静脈上の肌とその周囲の肌との識別性を高めることで、静脈の位置を見やすくする光を照射する。第１発光部１２０は、例えば、青緑色光を発する第１光源１２１と、赤色光を発する第２光源１２２とを有する。
【００１９】
第２発光部１３０は、演色性の高い白色光を照射する。第２発光部の１３０が照射する白色光の平均演色評価数Ｒａは、例えば、９０以上であるとよい。第２発光部１３０は、例えば、平均演色評価数Ｒａが９０以上の白色光を発する第３光源１３１を有する。
【００２０】
なお、第１発光部１２０及び第２発光部１３０の詳細については、後述する。
【００２１】
拡散板１４０は、第１発光部１２０及び第２発光部１３０から照射された光の配光を制御する。具体的には、拡散板１４０は、光拡散性（光散乱性）を有する。例えば、ガラス材料又はアクリルもしくはポリカーボネート等の透明樹脂材料にシリカ又は炭酸カルシウム等の光反射微粒子等の光拡散材を分散させて拡散板１４０を作製することで、拡散板１４０に光拡散性を持たせてもよい。また、例えば、拡散板１４０を形成する透明樹脂材料の表面（内面又は外面）に光拡散材等を含む乳白色の光拡散膜を形成することで拡散板１４０に光拡散性を持たせてもよい。また、光拡散材を用いるのではなくシボ加工処理等によって透明樹脂材料の表面に微小凹凸を形成したり、透明樹脂材料の表面にドットパターンを印刷したりすることで拡散板１４０に光拡散性を持たせてもよい。また、上記した光拡散性を持たせる材料、形状等を組み合わせて拡散板１４０に光拡散性を持たせてもよい。
【００２２】
なお、照明器具１１０は、拡散板１４０を備えてもよいし、備えなくてもよい。また、照明器具１１０は、拡散板１４０の代わりに、第１発光部１２０及び第２発光部１３０が照射する光を集光するレンズを備えてもよい。
【００２３】
基板１５０は、第１光源１２１、第２光源１２２及び第３光源１３１が実装される基板である。基板１５０の材料は、特に限定されないが、例えば、酸化アルミニウム、窒化アルミニウム等の電気絶縁性を有する金属酸化物、セラミックス、金属窒化物、金属、樹脂、ガラス繊維等の材料から構成される。基板１５０には金属配線が設けられており、金属配線は、第１光源１２１、第２光源１２２及び第３光源１３１と電気的に接続されている。例えば、第１光源１２１、第２光源１２２及び第３光源１３１には、照明器具１１０の外部から供給される電力が、金属配線を介して供給される。
【００２４】
制御回路１６０は、第１発光部１２０及び第２発光部１３０が発する光を制御するために基板に形成されたゲートアレイ等を用いた回路である。制御回路１６０は、例えば、第１光源１２１、第２光源１２２及び第３光源１３１を駆動するための駆動回路、第１光源１２１、第２光源１２２及び第３光源１３１に供給する電圧を制御する整流変圧回路等を有する。
【００２５】
筐体１７０は、内面が反射性を有する椀型であり、第１光源１２１、第２光源１２２及び第３光源１３１を収容する筐体である。また、筐体１７０は、第１光源１２１及び第２光源１２２を有する第１発光部１２０が照射する第１白色光Ｌ１（図４参照）及び第３光源１３１を有する第２発光部１３０が照射する第２白色光Ｌ２（図４参照）を透過する拡散板１４０を保持する筐体である。筐体１７０の材料は、特に限定されないが、例えば金属材料が採用される。
【００２６】
図３は、実施の形態に係る照明装置１００が備える光源の断面図である。なお、第１光源１２１、第２光源１２２及び第３光源１３１の構成要素は、実質的に同一であってもよく、第１光源１２１及び第２光源１２２を有する第１発光部１２０が照射する第１白色光Ｌ１と、第３光源１３１を有する第２発光部１３０が照射する第２白色光Ｌ２とが後述する特徴をそれぞれ有していればよい。そのため、以下においては、第１光源１２１、第２光源１２２及び第３光源１３１の共通する構成の一具体例について、光源１９０として説明する。
【００２７】
光源１９０は、例えば、ＳＭＤ（Ｓｕｒｆａｃｅ  Ｍｏｕｎｔ  Ｄｅｖｉｃｅ）型の発光デバイスとして実現され、凹部を有する容器１９２と、当該凹部内に封入された封止部材１９４と、当該凹部の中に実装されたＬＥＤ（Ｌｉｇｈｔ  Ｅｍｉｔｔｉｎｇ  Ｄｉｏｄｅ）チップ（発光素子）１９１とを備える。
【００２８】
容器１９２は、ＬＥＤチップ１９１と、封止部材１９４とを収容する容器である。また、容器１９２は、ＬＥＤチップ１９１に電力を供給するための金属配線である電極１９３を備える。ＬＥＤチップ１９１と電極１９３とは、ボンディングワイヤ１９５によって電気的に接続される。容器１９２の材料は、特に限定されないが、例えば、金属、セラミックス又は樹脂等である。なお、ＬＥＤチップ１９１が配置される容器１９２の内面は、光反射率を高めるように加工が施されてもよい。
【００２９】
ＬＥＤチップ１９１は、発光素子の一例であって、光を発するＬＥＤチップである。例えば、第１光源１２１は、ＬＥＤチップ１９１として、青緑色光を発する青緑色ＬＥＤチップを備える。また、例えば、第２光源１２２は、ＬＥＤチップ１９１として、赤色光を発する赤色ＬＥＤチップを備える。また、例えば、第３光源１３１は、ＬＥＤチップ１９１として、青色光を発する青色ＬＥＤチップを備える。
【００３０】
封止部材１９４は、ＬＥＤチップ１９１、電極１９３及びボンディングワイヤ１９５の少なくとも一部を封止する封止部材である。封止部材１９４の材料は、例えば、ＬＥＤチップ１９１が発する光を透過する透光性樹脂材料である。透光性樹脂材料としては、特に限定されないが、例えば、メチル系のシリコーン樹脂、エポキシ樹脂又はユリア樹脂等が用いられてもよい。
【００３１】
また、第３光源１３１は、封止部材１９４に、ＬＥＤチップ１９１である青色ＬＥＤチップから発せられる青色光の一部の波長を変換する波長変換材が含まれる。具体的には、第３光源１３１における封止部材１９４は、波長変換材として複数の黄色蛍光体粒子、又は、波長変換材として複数の緑色蛍光体粒子及び複数の赤色蛍光体粒子を含んだ透光性樹脂材料で構成される。なお、第１光源１２１及び第２光源１２２においては、封止部材１９４は、波長変換材を含まなくてもよく、上記の透光性樹脂材料で構成されればよい。
【００３２】
以下、第３光源１３１が有する蛍光体について説明する。
【００３３】
黄色蛍光体は、蛍光体（蛍光体粒子）の一例であって、ＬＥＤチップ１９１が発する青色光で励起され、ＬＥＤチップ１９１が発する青色光とは異なる波長の光である黄色光を発する。黄色蛍光体の材料は、例えば、イットリウム・アルミニウム・ガーネット（ＹＡＧ）系の蛍光体である。
【００３４】
ＬＥＤチップ１９１が発した青色光の一部は、封止部材１９４に含まれる黄色蛍光体によって黄色光に波長変換される。そして、黄色蛍光体に吸収されなかった青色光と、黄色蛍光体によって波長変換された黄色光とは、封止部材１９４中で拡散及び混合される。これにより、封止部材１９４から、白色光が照射される。つまり、第３光源１３１は、ＬＥＤチップ１９１が発する青色光と、黄色蛍光体が発する黄色光とが混ざることにより生成された白色光を照射する。
【００３５】
また、封止部材１９４には、緑色蛍光体及び赤色蛍光体が含まれてもよい。
【００３６】
緑色蛍光体は、蛍光体の一例であって、ＬＥＤチップ１９１が発する青色光で励起され、ＬＥＤチップ１９１が発する青色光とは異なる波長の光である緑色光を発する。緑色蛍光体の材料は、例えば、Ｌｕ３Ａｌ５Ｏ１２：Ｃｅ３＋蛍光体等のＣｅ３＋賦活酸化物蛍光体である。また、例えば、緑色蛍光体として、イットリウム・アルミニウム・ガーネット（ＹＡＧ）系の蛍光体が採用されてもよい。また、例えば、緑色蛍光体として、ハロシリケート系の蛍光体が採用されてもよい。また、例えば、緑色蛍光体として、酸窒化物系の蛍光体が採用されてもよい。
【００３７】
赤色蛍光体は、蛍光体の一例であって、ＬＥＤチップ１９１からの光で励起され、ＬＥＤチップ１９１からの青色光と異なる波長の光である赤色光を発する。赤色蛍光体の材料は、特に限定されないが、例えば（Ｓｒ，Ｃａ）ＡｌＳｉＮ３：Ｅｕ２＋蛍光体が採用される。
【００３８】
封止部材１９４に緑色蛍光体及び赤色蛍光体が含まれる場合、ＬＥＤチップ１９１が発した青色光の一部は、封止部材１９４に含まれる緑色蛍光体によって緑色光に波長変換される。同様に、ＬＥＤチップ１９１が発した青色光の他の一部は、封止部材１９４に含まれる赤色蛍光体によって赤色光に波長変換される。そして、緑色蛍光体及び赤色蛍光体に吸収されなかった青色光と、緑色蛍光体によって波長変換された緑色光と、赤色蛍光体によって波長変換された赤色光とは、封止部材１９４中で拡散及び混合される。これにより、封止部材１９４から、白色光が照射される。つまり、第３光源１３１は、ＬＥＤチップ１９１が発する青色光と、緑色蛍光体が発する緑色光と、赤色蛍光体が発する赤色光とが混ざることにより生成された白色光を照射する。
【００３９】
図４は、実施の形態に係る照明装置１００の特徴的な機能構成を示すブロック図である。
【００４０】
図４に示すように、照明装置１００は、第１発光部１２０と、第２発光部１３０と、駆動部１６１と、制御部１６２と、受付部１８０とを備える。
【００４１】
第１発光部１２０は、患者の腕に照射された場合に、静脈上の肌とその周囲の肌との弁別性を高める第１白色光Ｌ１を照射する。第１発光部１２０は、例えば、第１光源１２１と、第２光源１２２とによって実現される。
【００４２】
第２発光部１３０は、第２白色光Ｌ２を照射する。第２発光部１３０は、例えば、第３光源１３１によって実現される。なお、演色性の観点から、第２白色光Ｌ２の平均演色評価数Ｒａは、９０以上であるとよい。
【００４３】
このように、照明装置１００（具体的には、照明器具１１０）は、第１発光部１２０と、第２発光部１３０とを有し、第１発光部１２０から照射される第１白色光Ｌ１と、第２発光部１３０から照射される第２白色光Ｌ２との混合光である照明光Ｌを照射する。
【００４４】
また、第１白色光Ｌ１及び第２白色光Ｌ２の色度は、ＭａｃＡｄａｍ楕円３ステップ範囲内である。具体的には、第２白色光Ｌ２の色度は、第１白色光Ｌ１の色度を中心とするＭａｃＡｄａｍ楕円３ステップ範囲内である。ここで、ＭａｃＡｄａｍ楕円３ステップとは、色のばらつきをＣＩＥ表色系におけるｘｙ色度図に表した管理基準であり、ステップ数が小さい程、人には色の違いを識別することが困難であることを示す。ＭａｃＡｄａｍ楕円３ステップ範囲内の色度の光であれば、異なる色度の光であっても、人には凡そ同じ光色の光に感じられる。つまり、第１白色光Ｌ１の光色と第２白色光Ｌ２の光色とは、人には凡そ同じ光色に感じられる。
【００４５】
また、第１白色光Ｌ１における、３８０ｎｍ以上７８０ｎｍ以下の波長範囲における放射エネルギーに対する５００ｎｍ以上５２０ｎｍ以下の波長範囲及び６２０ｎｍ以上７００ｎｍ以下の波長範囲における放射エネルギーの和を示す第１比率は、第２白色光Ｌ２より高い。第１白色光Ｌ１は、弁別性の観点から、例えば、３８０ｎｍ以上７８０ｎｍ以下の波長範囲における放射エネルギーに対し、５００ｎｍ以上５２０ｎｍ以下の波長範囲、及び、６２０ｎｍ以上７００ｎｍ以下の波長範囲における放射エネルギーの和を示す第１比率が６０％以上であるとよい。また、第１白色光Ｌ１は、例えば、３８０ｎｍ以上７８０ｎｍ以下の波長範囲における放射エネルギーに対し、５００ｎｍ以上５２０ｎｍ以下の波長範囲、及び、６２０ｎｍ以上７００ｎｍ以下の波長範囲における放射エネルギーの和を示す第１比率が８０％以上であるとよりよい。
【００４６】
駆動部１６１は、第１発光部１２０及び第２発光部１３０の点灯及び消灯を制御する。具体的には、駆動部１６１は、第１光源１２１、第２光源１２２及び第３光源１３１の点灯及び消灯を制御する。駆動部１６１は、例えば、制御回路１６０の駆動回路によって実現される。
【００４７】
制御部１６２は、第１発光部１２０が照射する第１白色光Ｌ１の光量と、第２発光部１３０が照射する第２白色光Ｌ２の光量とを制御する。具体的には、制御部１６２は、例えば、制御回路１６０の整流変圧回路によって実現される。
【００４８】
また、制御部１６２は、第１白色光Ｌ１と第２白色光Ｌ２との光量の和を略一定に維持し、且つ、第１白色光Ｌ１の光量に対する第２白色光Ｌ２の光量を示す第２比率を所定の周期で変化させる。言い換えると、制御部１６２は、照明光Ｌの可視域の光量が時間に対して略一定となるように、第１白色光Ｌ１の光量に対する第２白色光Ｌ２の光量を示す第２比率を時間に対して所定の周期で変化させる。ここで、略一定とは、完全に一定とすることを意味するだけでなく、実質的に一定とする、すなわち１０％程度の差異を含むことを意味する。また、所定の周期は、特に限定されるものではなく、例えば、１周期あたり数秒程度（例えば、３秒〜５秒程度）であればよい。
【００４９】
受付部１８０は、第１白色光Ｌ１の光量及び第２白色光Ｌ２の光量を制御部１６２が制御する制御モードを決定する指示を受け付ける。例えば、制御モードは、制御部１６２が、第１発光部１２０及び第２発光部１３０のうち、第２発光部１３０のみを点灯させる定常モード（照明モード）と、制御部１６２が第１白色光Ｌ１の光量に対する第２白色光Ｌ２の光量を示す第２比率を所定の周期で変化させる切替モードと、を含む。また、例えば、制御モードは、制御部１６２が第１発光部１２０のみを点灯させるモード（静脈モード）を含んでもよい。受付部１８０は、例えば、ユーザが操作可能な押しボタン、タッチパネル等を有するコントローラである。例えば、受付部１８０の一例であるコントローラには、照明モードと切替モードと静脈モードとのそれぞれに対応するボタンが配置されている。ユーザは、適宜利用したいモードに対応するボタンを押下する。制御部１６２は、ユーザによって押下されたボタンに対応するモードとなるように、第１発光部１２０及び第２発光部１３０を制御する。なお、例えば、ユーザが操作するコントローラがリモートコントローラである場合、受付部１８０は、例えば、当該リモートコントローラと無線通信可能な通信インターフェースでもよい。
【００５０】
なお、受付部１８０は、ユーザが操作するコントローラに限定されない。照明装置１００は、例えば、患者の腕を撮像するためのカメラを備え、制御部１６２は、当該カメラが患者の腕を撮像していない場合には、第２発光部１３０のみを点灯させる定常モードで制御し、当該カメラが患者の腕を撮像した場合には、第１発光部１２０及び第２発光部１３０を点灯させる切替モードで制御してもよい。この場合、受付部１８０は、当該カメラでもよいし、当該カメラと通信可能に接続されるインターフェースでもよい。
【００５１】
［光特性］
続いて、図５〜図１１を参照して、実施の形態に係る照明装置１００が照射する照明光Ｌの特性について説明する。
【００５２】
図５は、実施の形態に係る照明装置１００が照射する照明光Ｌのスペクトルを示す図である。具体的には、図５は、第１発光部１２０が照射する第１白色光Ｌ１及び第２発光部１３０が照射する第２白色光Ｌ２のスペクトルを示すグラフである。図５には、第１白色光Ｌ１のスペクトルを実線で示し、第２白色光Ｌ２のスペクトルを破線で示している。なお、図５に示すグラフの縦軸は、相対強度（任意単位）であり、第２ピーク波長Ｐ２の放射エネルギーで規格化した場合における各波長の放射エネルギーを示す。また、図５に示す第１白色光Ｌ１及び第２白色光Ｌ２の色温度（相関色温度）は、いずれも５０００Ｋである。
【００５３】
第１白色光Ｌ１は、４９５ｎｍ以上５１０ｎｍ以下の波長範囲に第１ピーク波長Ｐ１を有し、６１０ｎｍ以上６８０ｎｍ以下の波長範囲に第２ピーク波長Ｐ２を有する。例えば、第１光源１２１及び第２光源１２２の一方は、４９５ｎｍ以上５１０ｎｍ以下の波長範囲に第１ピーク波長Ｐ１を有する光を照射し、他方は、６１０ｎｍ以上６８０ｎｍ以下の波長範囲に第２ピーク波長Ｐ２を有する光を照射する。第１ピーク波長Ｐ１及び第２ピーク波長Ｐ２の少なくとも一方の半値幅は、５０ｎｍ以下であるとよい。
【００５４】
図６は、実施の形態に係る照明装置１００が照射する照明光Ｌの特徴を説明するための図である。具体的には、図６は、第１白色光Ｌ１及び第２白色光Ｌ２のそれぞれにおける、３８０ｎｍ以上７８０ｎｍ以下の波長範囲における放射エネルギーに対する５００ｎｍ以上５２０ｎｍ以下の波長範囲及び６２０ｎｍ以上７００ｎｍ以下の波長範囲における放射エネルギーの和を示す第１比率（図６に示す放射エネルギーの比率）と、第１白色光Ｌ１及び第２白色光Ｌ２のそれぞれを患者の肌に照射した場合における、静脈上の肌とその周囲の肌との色差Δとを示す表である。なお、本実施の形態では、色差ΔＥを算出する際に、Ｌ＊ａ＊ｂ＊表色系座標を用いている。
【００５５】
第１白色光Ｌ１における、３８０ｎｍ以上７８０ｎｍ以下の波長範囲における放射エネルギーに対する５００ｎｍ以上５２０ｎｍ以下の波長範囲及び６２０ｎｍ以上７００ｎｍ以下の波長範囲における放射エネルギーの和を示す第１比率は、７９．０％であり、色差ΔＥは、２．３５である。
【００５６】
また、第２白色光Ｌ２における、３８０ｎｍ以上７８０ｎｍ以下の波長範囲における放射エネルギーに対する５００ｎｍ以上５２０ｎｍ以下の波長範囲及び６２０ｎｍ以上７００ｎｍ以下の波長範囲における放射エネルギーの和を示す第１比率は、２７．９％であり、色差ΔＥは、１．２０である。
【００５７】
人間（主に白人及び黄色人種）の肌は、６００ｎｍ以上７８０ｎｍ以下の波長範囲では、４７０ｎｍ以上５２５ｎｍ以下の波長範囲に比べて、静脈上の肌とその周囲の肌との分光反射率の差分が高い値となる。そこで、第１白色光Ｌ１は、６１０ｎｍ以上６８０ｎｍ以下の波長範囲にピーク波長を有する赤色光の放射エネルギーを強くすることで、静脈上の肌とその周辺の肌とにおける色差ΔＥを大きくする。こうすることで、第１白色光Ｌ１によれば、静脈上の肌とその周辺の肌との弁別性（つまり、識別し易さ）を大きく向上させることができる。
【００５８】
一般に、色差ΔＥは、１．５以上であれば一般の人が色の差を感知することができ、３．０以上であれば誰もが著しい色の差を感知することができる。なお、弁別性の観点からは、色差ΔＥは、２．４以上であるとよく、２．６以上であるとよりよい。
【００５９】
また、単に赤色光のみを用いた場合、肌の色が、赤味がかって不自然な色に見える。そこで、シアン色（青緑色）光を用いることにより、静脈上の肌とその周辺の肌との弁別性を向上させながらも、肌の赤味がかりを抑制し、肌を自然な色に見せることができる。
【００６０】
図７Ａは、第２白色光Ｌ２を患者の腕に照射した場合における、静脈上の肌Ｓとその周辺の肌との見え具合を示すイメージ図である。図７Ｂは、第２白色光Ｌ２を患者の腕に照射した場合における、静脈上の肌Ｓとその周辺の肌との見え具合を示すイメージ図である。
【００６１】
図７Ａに示すように、第２白色光Ｌ２では、静脈上の肌Ｓとその周囲の肌との弁別性が低い（つまり、色差ΔＥが小さい）ため、静脈の位置を判別しにくい。なお、図７Ａでは、静脈上の肌Ｓを点線で示している。一方、図７Ｂに示すように、第１白色光Ｌ１では、静脈上の肌Ｓとその周囲の肌との弁別性が高い（つまり、色差ΔＥが大きい）ため、静脈の位置を判別し易い。なお、図７Ｂでは、静脈上の肌Ｓを実線で示している。
【００６２】
ここで、例えば、第１白色光Ｌ１のみを患者に照射し続けた場合、医療従事者等は、患者の静脈上の肌とその周囲の肌との弁別性を高める第１白色光Ｌ１に目が慣れてしまい（つまり、彩度順応が起こり）、弁別性が時間経過とともに低下するという問題がある。
【００６３】
そこで、実施の形態に係る照明装置１００は、第１白色光Ｌ１の光量に対する第２白色光Ｌ２の光量を示す第２比率を所定の周期で変化させる。
【００６４】
図８Ａは、実施の形態に係る照明装置１００が備える第１発光部１２０が照射する第１白色光Ｌ１の光量の時間変化を説明するための図である。図８Ｂは、実施の形態に係る照明装置１００が備える第２発光部１３０が照射する第２白色光Ｌ２の光量の時間変化を説明するための図である。図８Ｃは、実施の形態に係る照明装置１００が照射する照明光Ｌの光量の時間変化を説明するための図である。
【００６５】
なお、図８Ａ〜図８Ｃに示すグラフの横軸は光を照射している時間であり、縦軸は照射している光の光量を示している。なお、光量とは、人の比感度が換算された心理物理量を示し、光量を測定する際に対象とする光の波長範囲は、例えば、可視域であればよい。可視域は、例えば、３８０ｎｍ以上７８０ｎｍ以下である。
【００６６】
第１白色光Ｌ１の光量は、時間が経過するにしたがって変化する。言い換えると、制御部１６２は、第１白色光Ｌ１の光量を時間が経過するにしたがって変化させるように、第１光源１２１及び第２光源１２２を制御する。例えば、制御部１６２は、当該制御をするために、第１光源１２１及び第２光源１２２がそれぞれ備えるＬＥＤチップ１９１への投入電力量を経時変化させる。なお、制御部１６２は、時間を計測するために、ＲＴＣ（Ｒｅａｌ  Ｔｉｍｅ  Ｃｌｏｃｋ）等の計時部（時計）を備えてもよい。
【００６７】
第１白色光Ｌ１の光量は、制御部１６２が上記制御を行うことにより、周期性をもって変化する。本実施の形態においては、第１白色光Ｌ１の光強度周波数は、１Ｈｚである。なお、光強度周波数とは、時間に対する光の光量の変化である。
【００６８】
また、第２白色光Ｌ２の光量は、時間が経過するにしたがって変化する。言い換えると、制御部１６２は、第２白色光Ｌ２の光量を時間が経過するにしたがって変化させるように、第３光源１３１を制御する。例えば、制御部１６２は、当該制御をするために、第３光源１３１が備えるＬＥＤチップ１９１への投入電力量を経時変化させる。
【００６９】
第２白色光Ｌ２の光量は、制御部１６２が上記制御を行うことにより、周期性をもって変化する。本実施の形態においては、第２白色光Ｌ２の光強度周波数は、第１白色光Ｌ１の光強度周波数と同じであり、１Ｈｚである。
【００７０】
上記したように、制御部１６２は、第１白色光Ｌ１と第２白色光Ｌ２との光量の比率である第２比率を経時変化させる。具体的には、制御部１６２は、第１白色光Ｌ１の光量と第２白色光Ｌ２の光量との比率を示す第２比率が経時変化するように、第１光源１２１、第２光源１２２及び第３光源１３１を制御する。
【００７１】
例えば、第１白色光Ｌ１の光量と第２白色光Ｌ２の光量とは、それぞれの最大値及び最小値となる時刻が異なる。第１白色光Ｌ１の光量が最大値の場合に第２白色光Ｌ２の光量は最小値となり、第１白色光Ｌ１の光量が最小値の場合に第２白色光Ｌ２の光量は最大値となるように、制御部１６２は、第１光源１２１、第２光源１２２及び第３光源１３１を制御する。言い換えると、制御部１６２は、時間に対する第１白色光Ｌ１の光量の変化と、時間に対する第２白色光Ｌ２の光量の変化とが、逆相関の関係になるように、第１光源１２１、第２光源１２２及び第３光源１３１の制御をする。制御部１６２がこのような制御をすることにより、医療従事者には、静脈上の肌Ｓの周囲の肌の見え方は変化せず、静脈上の肌Ｓのみの彩度が、点滅しているように感じられる。
【００７２】
なお、第１白色光Ｌ１及び第２白色光Ｌ２における時間に対する光量の変化の仕方（波形）は、正弦波でなくてもよい。例えば、当該波形は、矩形波でもよい。
【００７３】
ところで、静脈上の肌Ｓとその周囲の肌との弁別性を向上させるには、第１白色光Ｌ１の色差ΔＥは、大きい方がよい。
【００７４】
図９は、実施の形態に係る照明装置１００が照射する光の放射エネルギーの比率と色差ΔＥとの関係を説明するための図である。具体的には、図９は、第２白色光Ｌ２を照射せず、第１白色光Ｌ１のみを患者の腕に照射した場合における、放射エネルギーの比率と色差ΔＥとの関係を説明するための図である。ここで、放射エネルギーの比率とは、３８０ｎｍ以上７８０ｎｍ以下の波長範囲における照明光の放射エネルギーに対する、４９５ｎｍ以上５１０ｎｍ以下の波長範囲及び６１０以上６８０ｎｍ以下の波長範囲における光の放射エネルギーの和の比率である。なお、図９に示すＲは、相関係数であり、０．９３１となった。
【００７５】
図９に示すように、３８０ｎｍ以上７８０ｎｍ以下の波長範囲における光の放射エネルギーに対する、４９５ｎｍ以上５１０ｎｍ以下の波長範囲及び６１０以上６８０ｎｍ以下の波長範囲における光の放射エネルギーの和の比率は、色差ΔＥと正の相関関係がある。つまり、３８０ｎｍ以上７８０ｎｍ以下の波長範囲における照明光の放射エネルギーに対する、４９５ｎｍ以上５１０ｎｍ以下の波長範囲及び６１０以上６８０ｎｍ以下の波長範囲における光の放射エネルギーの和の比率が高い程、照明光を患者に照射した場合に静脈上の肌Ｓとその周囲の肌との色差ΔＥが大きくなる。言い換えると、４９５ｎｍ以上５１０ｎｍ以下の波長範囲及び６１０以上６８０ｎｍ以下の波長範囲の光の放射エネルギーを高くし、それ以外の波長範囲における放射エネルギーを低くすることで、上記２つのピーク波長（第１ピーク波長Ｐ１及び第２ピーク波長Ｐ２）のコントラストが大きくなり、色差ΔＥをより大きくすることができる。そのため、３８０ｎｍ以上７８０ｎｍ以下の波長範囲における照明光の放射エネルギーに対する、４９５ｎｍ以上５１０ｎｍ以下の波長範囲及び６１０以上６８０ｎｍ以下の波長範囲における光の放射エネルギーの和の比率が高い程、静脈上の肌Ｓとその周囲の肌との弁別性は向上される。
【００７６】
なお、上記したように、静脈上の肌Ｓとその周囲の肌との弁別性の観点からは、色差ΔＥは、２．４以上であるとよく、２．６以上であるとよりよい。つまり、図９に示すように、３８０ｎｍ以上７８０ｎｍ以下の波長範囲における光の放射エネルギーに対する、４９５ｎｍ以上５１０ｎｍ以下の波長範囲及び６１０以上６８０ｎｍ以下の波長範囲における光の放射エネルギーの和の比率が６０％以上であるとよく、さらには、上記比率は８０％以上であるとよりよい。
【００７７】
なお、６１０ｎｍ以上６８０ｎｍ以下の波長範囲における第２ピーク波長Ｐ２の放射エネルギーが、４９５ｎｍ以上５１０ｎｍ以下の波長範囲における第１ピーク波長Ｐ１の放射エネルギーよりも高ければ、それらの放射エネルギーの比率は特に限定されない。
【００７８】
図１０は、実施の形態に係る照明装置１００が照射する照明光Ｌの色度を説明するための図である。具体的には、図１０は、照明装置１００が照射する照明光Ｌのうちの第１白色光Ｌ１の色度を説明するための図である。なお、図１０に示す色度座標は、ＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ：国際照明委員会）表色系におけるｘｙ色度図である。
【００７９】
第１白色光Ｌ１の相関色温度は、特に限定されるものではないが、ＪＩＳ  Ｚ  ９１１２で規格されているＬＥＤの光源色区分のうち、温白色、白色及び昼白色を含む、相関色温度３２５０Ｋ以上５０００Ｋ以下であるとよい。また、このときの色偏差ｄｕｖは、−１０≦ｄｕｖ≦１０の範囲であるとよい。例えば、制御部１６２によって第１光源１２１及び第２光源１２２が照射する放射エネルギーを制御されることで、第１白色光Ｌ１が、３２５０Ｋ以上５０００Ｋ以下、且つ、−１０≦ｄｕｖ≦１０の範囲に制御されればよい。
【００８０】
［効果等］
以上、実施の形態に係る照明装置１００は、第１白色光Ｌ１を照射する第１発光部１２０と、第２白色光Ｌ２を照射する第２発光部１３０と、第１発光部１２０が照射する第１白色光Ｌ１の光量と、第２発光部１３０が照射する第２白色光Ｌ２の光量とを制御する制御部１６２と、を備える。第２白色光Ｌ２の色度は、第１白色光Ｌ１の色度を中心とするＭａｃＡｄａｍ楕円３ステップ範囲内である。また、第１白色光Ｌ１における、３８０ｎｍ以上７８０ｎｍ以下の波長範囲における放射エネルギーに対する５００ｎｍ以上５２０ｎｍ以下の波長範囲及び６２０ｎｍ以上７００ｎｍ以下の波長範囲における放射エネルギーの和を示す第１比率は、第２白色光Ｌ２より高い。また、制御部１６２は、第１白色光Ｌ１と第２白色光Ｌ２との光量の和を略一定に維持し、且つ、第１白色光Ｌ１の光量に対する第２白色光Ｌ２の光量を示す第２比率を所定の周期で変化させる。
【００８１】
図１１は、実施の形態に係る照明装置１００を用いた場合の弁別性の低下度合いを説明するためのイメージ図である。なお、図１１に示す比較例は、例えば、第１白色光Ｌ１を一定の光量で患者に照射し続けた場合を示す。図１１に示すグラフの横軸は、光を照射している時間であり、縦軸は、静脈上の肌Ｓとその周囲の肌との弁別性を示す。
【００８２】
図１１に示すように、比較例においては、時間経過とともに人の目が第１白色光Ｌ１に慣れてしまう、いわゆる彩度順応が起こるため、静脈上の肌Ｓとその周囲の肌との弁別性が時間経過とともに低下する。
【００８３】
しかしながら、実施の形態に係る照明装置１００においては、第１白色光Ｌ１の光量を所定の周期で変化させて、医療従事者が第１白色光Ｌ１を見る時間を相対的に短くすることで、彩度順応を抑制することができる。これにより、照明装置１００によれば、時間経過に伴う弁別性の低下を抑制することができる。
【００８４】
また、照明装置１００は、第１白色光Ｌ１と第２白色光Ｌ２との光量の和を略一定としている。これにより、照明光Ｌの光量の変化による違和感、煩わしさ、及び、瞳孔径が変化することによる視機能の低下を抑制することができる。
【００８５】
また、第２白色光Ｌ２の色度は、第１白色光Ｌ１の色度を中心とするＭａｃＡｄａｍ楕円３ステップ範囲内の色度の光となっている。これにより、第１白色光Ｌ１及び第２白色光Ｌ２は、人には凡そ同じ光色の光に感じられる。そのため、第１白色光Ｌ１及び第２白色光Ｌ２のそれぞれの光量が変化した場合においても、第１白色光Ｌ１と第２白色光Ｌ２との混合光である照明光Ｌは、人の目には色味の変化が凡そ感じられない。そのため、照明装置１００から照射される光の色味が変化することによる違和感は、抑制される。
【００８６】
以上のことから、実施の形態に係る照明装置１００によれば、静脈上の肌Ｓとその周囲の肌との弁別性の低下が抑制され、且つ、光量の変化による違和感、煩わしさ、及び、瞳孔径が変化することによる視機能の低下が抑制される。
【００８７】
例えば、第１比率は、６０％以上でもよい。
【００８８】
こうすることで、第１白色光Ｌ１を患者に照射した場合における静脈上の肌Ｓとその周囲の肌との色差ΔＥは、２．４以上となる。これにより、第１白色光Ｌ１による静脈上の肌Ｓとその周囲の肌との弁別性は、向上される。
【００８９】
また、例えば、第１比率は、８０％以上でもよい。
【００９０】
こうすることで、第１白色光Ｌ１を患者に照射した場合における静脈上の肌Ｓとその周囲の肌との色差ΔＥは、２．６以上となる。これにより、第１白色光Ｌ１による静脈上の肌Ｓとその周囲の肌との弁別性は、より向上される。
【００９１】
また、例えば、第２白色光Ｌ２の平均演色評価数Ｒａは、９０以上でもよい。
【００９２】
このような構成によれば、静脈上の肌Ｓとその周囲の肌との弁別性が高い第１白色光Ｌ１と演色性の高い第２白色光Ｌ２とを組み合わせることで、弁別性を向上させ、且つ、色再現の忠実性を向上させることができる。
【００９３】
また、例えば、照明装置１００は、さらに、第１白色光Ｌ１の光量及び第２白色光Ｌ２の光量を制御部１６２が制御する制御モードを決定する指示を受け付ける受付部１８０を備えてもよい。制御モードは、制御部１６２が、第１発光部１２０及び第２発光部１３０のうち、第２発光部１３０のみを点灯させる定常モードと、第２比率を所定の周期で変化させる切替モードと、を含んでもよい。
【００９４】
これにより、制御部１６２は、静脈の位置を観察したい場合にのみ、第１白色光Ｌ１及び第２白色光Ｌ２の光量の比率を変化させることができる。そのため、制御部１６２は、受付部１８０が受け付けた指示に基づいて、例えば、静脈の位置を観察しない場合に、第１白色光Ｌ１の照射を駆動部１６１に止めさせる制御をすることで、医療従事者の不要な彩度順応を阻止することができる。そのため、静脈上の肌Ｓとその周囲の肌との弁別性の低下は、より抑制される。
【００９５】
また、実施の形態に係る医療装置２００は、照明装置１００を備える。
【００９６】
これにより、照明装置１００は、ナースカート２１０の一部等の医療器具の一部として設置され、患者のベッドへの横付け移動、照射方向の調整が容易となる。そのため、照明装置１００を備える医療装置２００によれば、照明装置１００の利便性が、向上される。
【００９７】
（その他の実施の形態）
以上、実施の形態に係る照明装置及び医療装置について説明したが、本発明は、上記実施の形態に限定されるものではない。
【００９８】
例えば、上記実施の形態では、第２光源は、２種類の蛍光体と、１つのＬＥＤチップ（発光素子）とによって上記の発光スペクトルが実現されたが、このような実現方法は一例であり、上記の条件を満たすのであればどのような蛍光体及び発光素子が用いられてもよい。
【００９９】
また、例えば、上記実施の形態では、発光素子の一具体例としてＬＥＤチップを用いたが、半導体レーザ等の半導体発光素子、又は、有機ＥＬ（Ｅｌｅｃｔｒｏ  Ｌｕｍｉｎｅｓｃｅｎｃｅ）素子もしくは無機ＥＬ素子等の固体発光素子が、発光素子として採用されてもよい。
【０１００】
また、例えば、第３光源は、蛍光の中心波長が異なる３種類以上の蛍光体を備えてもよい。
【０１０１】
また、例えば、上記実施の形態では、ＳＭＤ構造の発光モジュールとして実現された光源について説明したが、本発明に係る光源は、基板にＬＥＤチップが直接実装された、いわゆるＣＯＢ（Ｃｈｉｐ  Ｏｎ  Ｂｏａｒｄ）構造のＬＥＤモジュールでもよい。
【０１０２】
また、例えば、第３光源は、ＬＥＤチップと離れた位置に蛍光体を含む樹脂部材が配置されたリモートフォスファ型の発光モジュールとして実現されてもよい。
【０１０３】
また、上記実施の形態では、第１発光部は、青緑色光を発する青緑色ＬＥＤを有する第１光源と、赤色光を発する赤色ＬＥＤを有する第２光源とで構成される例について説明した。例えば、第１発光部は、青緑色光を発する青緑色ＬＥＤと、当該青緑色ＬＥＤが発する光を励起光として赤色蛍光を発する赤色蛍光体とで構成されてもよい。
【０１０４】
また、上記実施の形態では、駆動部及び制御部は、例えば、制御回路のように、専用の電子回路としてハードウェア的に実現されたが、プロセッサがプログラムを実行することによってソフトウェア的に実現されてもよい。駆動部及び制御部は、例えば、ＣＰＵ（Ｃｅｎｔｒａｌ  Ｐｒｏｃｅｓｓｉｎｇ  Ｕｎｉｔ）と、ＣＰＵが実行する制御プログラムが記憶されているＲＯＭ（Ｒｅａｄ  Ｏｎｌｙ  Ｍｅｍｏｌｙ）、ＲＡＭ（Ｒａｎｄｏｍ  Ａｃｃｅｓｓ  Ｍｅｍｏｌｙ）等の記憶部とから実現されてもよい。
【０１０５】
また、照明装置は、上記のナースカートに設置された医療装置に限らず、例えば、患者用ベッドの上方の天井に吊り下げられて電源や医療用ガスを供給するメディカルハンガに組み込まれてもよい。
【０１０６】
また、上記実施の形態では、第１白色光及び第二白色光の時間に対する光量の変化を示す光強度周波数は、１Ｈｚであるとして説明したが、彩度順応を抑制することができればよく、１周期あたり数秒程度（例えば、３秒〜５秒程度）であればよい。
【０１０７】
また、上記実施の形態では、第１白色光及び第二白色光の時間に対する光量の変化において、光量を最も小さくしている場合、光量をゼロとしているが、光量をゼロにする必要はなく、所定の周期で光量が変化すればよい。
【０１０８】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１０９】
１００  照明装置
１２０  第１発光部
１３０  第２発光部
１６２  制御部
１８０  受付部
２００  医療装置
Ｌ１  第１白色光
Ｌ２  第２白色光
【図１】
2019102143.tif 000003
【図２Ａ】
2019102143.tif 000004
【図２Ｂ】
2019102143.tif 000005
【図３】
2019102143.tif 000006
【図４】
2019102143.tif 000007
【図５】
2019102143.tif 000008
【図６】
2019102143.tif 000009
【図７Ａ】
2019102143.tif 000010
【図７Ｂ】
2019102143.tif 000011
【図８Ａ】
2019102143.tif 000012
【図８Ｂ】
2019102143.tif 000013
【図８Ｃ】
2019102143.tif 000014
【図９】
2019102143.tif 000015
【図１０】
2019102143.tif 000016
【図１１】
2019102143.tif 000017